(57)【特許請求の範囲】
【請求項１】
プリンターであって：
プロセッサ；および
メモリを含んでおり、メモリ上にはプロセッサに：
ユーザーの印刷ジョブを印刷する命令を受け取り；
ユーザーの印刷ジョブのパラメータを決定し；
印刷ジョブのパラメータおよび以前に集積されたユーザーの印刷のヒューリスティック統計に基づいて、ユーザーの印刷ジョブのヒューリスティック分析を行い；そして
ヒューリスティック分析に基づいて、ユーザーのプリンター設定を調節するようにさせる機械読み取り可能な命令が記憶されており、
ユーザーの印刷のヒューリスティック統計は、ジョブの長さ、および最後のジョブから媒体が出力トレイから取り出されるまでの時間を少なくとも含む、プリンター。
【請求項２】
命令はさらにプロセッサに、調節されたユーザーのプリンター設定を使用してユーザーの印刷ジョブを印刷するようにさせる、請求項１のプリンター。
【請求項３】
命令はさらにプロセッサに、ローカルなヒューリスティックアーカイブにアクセスしてヒューリスティック分析を行うようにさせる、請求項１または２のプリンター。
【請求項４】
命令はさらにプロセッサに、クラウドベースのヒューリスティックデータベースにアクセスしてヒューリスティック分析を行うようにさせる、請求項１から３のいずれか１のプリンター。
【請求項５】
命令はさらにプロセッサに、雰囲気光、およびユーザーがプリンターのところに存在することを含む作動条件を検出することにより、エネルギーコストプロファイルに基づいてユーザーのプリンター設定を調節するようにさせる、請求項１から４のいずれか１のプリンター。
【請求項６】
命令はさらにプロセッサに、調整された動作設定を生成するようにさせ、調整された動作設定に従ってユーザーのプリンター設定を調節させて、プリンターの音響放出およびエネルギー消費を管理する、請求項１から５のいずれか１のプリンター。  
【請求項７】
調整された動作設定は、静粛な低速印刷または騒々しい高速印刷に関するユーザーの選好に基づいている、請求項６のプリンター。
【請求項８】
ユーザーの印刷のヒューリスティック統計は、ジョブの頻度、印刷ジョブセッションの間の時間、印刷媒体の種類、モノクロ印刷またはカラー印刷、１日のうちの時間、ジョブのソース、ユーザーの場所、ジョブの種類、出力トレイに残されているユーザージョブの推定数、プリンターの較正頻度および較正発生パターン、プリンターの清掃頻度および清掃発生パターンの１つまたはより多くを含む、請求項１から７のいずれか１のプリンター。
【請求項９】
ユーザーの印刷ジョブのパラメータは：
ジョブの長さ；
ジョブの種類；
媒体の種類；
印刷の色；
１日のうちの時間；または
印刷ジョブの場所を含む、請求項１から８のいずれか１のプリンター。
【請求項１０】
方法であって：
ユーザーの印刷ジョブを印刷する命令を受け取り；
ユーザーの印刷ジョブのパラメータを決定し；
以前に集積され記憶されたユーザーの印刷のヒューリスティック統計を読み出し；
印刷ジョブのパラメータおよび以前に集積されたユーザーの印刷のヒューリスティック統計に基づいて、ユーザーの印刷ジョブのヒューリスティック分析を行い；
ヒューリスティック分析に基づいて、ユーザーのプリンター設定を調節し；そして
調節されたユーザーのプリンター設定を用いてユーザーの印刷ジョブの印刷を開始することを含み、
ユーザーの印刷のヒューリスティック統計は、ジョブの長さ、および最後のジョブから媒体が出力トレイから取り出されるまでの時間を少なくとも含む、方法。
【請求項１１】
ヒューリスティック分析およびプリンターの作動条件に基づいて、調整された動作設定を生成することをさらに含む、請求項１０の方法。
【請求項１２】
ユーザーのプリンター設定が調整された動作設定と異なることに応じて、ユーザーのプリンター設定を調節することをさらに含む、請求項１１の方法。
【請求項１３】
雰囲気光、およびユーザーがプリンターのところに存在することを含む作動条件を検出することにより、エネルギーコストプロファイルに基づいて、ユーザーのプリンター設定を調節することをさらに含む、請求項１０から１２のいずれか１の方法。
【請求項１４】
非一時的なコンピュータ可読媒体であって、その上に、プロセッサにより実行された場合にプロセッサに：
ユーザーの印刷ジョブを印刷する命令を受け取り；
ユーザージョブ分析エンジンにより、ユーザーの印刷ジョブのパラメータを決定し；
動作アナライザーによりヒューリスティック分析を行うことによって、印刷ジョブのパラメータおよび以前に集積されたユーザーの印刷のヒューリスティック統計に基づいて、調整された動作設定を生成し；そして
プリンター設定が調整された動作設定と異なることに応答して、プリンター設定を調節するようにさせる機械読み取り可能な命令が記憶されており、
ユーザーの印刷のヒューリスティック統計は、ジョブの長さ、および最後のジョブから媒体が出力トレイから取り出されるまでの時間を少なくとも含む、非一時的なコンピュータ可読媒体。
【請求項１５】
機械読み取り可能な命令はさらにプロセッサに、調節されたプリンター設定を使用して、そして任意選択的に雰囲気光、およびユーザーがプリンターのところに存在することを含む作動条件を検出することによりエネルギーコストプロファイルに基づいて、ユーザーの印刷ジョブの印刷を開始させる、請求項１４の非一時的なコンピュータ可読媒体。
【発明の詳細な説明】
【背景技術】
【０００１】
印刷システムは、多機能システム中に組み込まれているものを含めて、エネルギー効率を増大させ、音響放出を低減させるために、最適化を必要としうる。印刷システムの設計者は、溶融システム、消耗品、給紙経路および後加工装置（フィニッシャー）によって、また他の電子写真プリンター部品によって使用されるエネルギーの量を最小限にするよう取り組んでいる。印刷に際しての音響放出を最小限にするために、印刷システムの種々の機械的および電気機械的な要素を最適化するための試みが行われている。
【図面の簡単な説明】
【０００２】
本開示の特徴は以下の図面において例示として示されているが、それらに限定されるものではなく、同様の参照番号は類似の要素を示している。
【０００３】
図１は、例示的なプリンターのブロック図を示している。
【０００４】
図２は、ヒューリスティクスに基づく音響およびエネルギーの最適化を備えた例示的なプリンターを示している。
【０００５】
図３から図４は、ヒューリスティクスに基づく音響およびエネルギーの最適化方法の例のダイヤグラムを示している。
【発明を実施するための形態】
【０００６】
単純化および例示を行う目的で、本開示は主に、その例を参照することによって説明される。以下の記述においては、本開示の完全な理解を提供するために、数多くの具体的な詳細が記載される。しかしながら即時に明らかとなるように、本開示はそれらの具体的な詳細なしに実施されてよい。他の場合には、本開示を不必要に曖昧にしないように、当業者によって容易に理解される幾つかの方法や構造は詳細に記載してはいない。本願で使用するところでは、用語「ある」および「１つの」は、特定の要素の少なくとも１つを示すことを意図しており、用語「含む」は含むことを意味しているが限定を行うものではなく、用語「含んでいる」は含んでいることを意味しているが限定を行うものではなく、そして用語「基づく」は少なくとも部分的に基づいていることを意味している。
【０００７】
本開示は、印刷システムおよびそのユーザーのヒューリスティック分析を使用して、多目的プリンターのような印刷システムのエネルギー効率を改善し、そして音響放出を低減することに向けられている。各々のユーザーによる印刷システムの利用統計およびその後の印刷システムの動作が、ローカルな（局所の）ヒューリスティクスログまたはリモートの（遠隔の）データベースに記録される。このヒューリスティックデータは、各々のユーザーまたはユーザーグループにとって、最も適切なプリンターの設定（構成）を決定するために、継続的に更新される。ユーザーが印刷のためにジョブを送信すると常に、プリンターはそのユーザーのためのヒューリスティックデータを分析し、そしてそのユーザーのためのヒューリスティックデータに基づいて、プリンターによる音響放出およびエネルギー消費を制御すると同時に満足できるユーザー体験をもたらすように、印刷ジョブを実行するために最適なプリンター構成をその場でオンザフライに設定する。ヒューリスティックデータはデータベース中で、将来の分析で使用するために、現在の印刷ジョブに基づいて更新されてよい。
【０００８】
印刷システムの設計者は、エネルギー効率および音響放出のために最適化を実施する。これらの最適化は機械的または電気機械的な設計変更を必要としうるものであり、結果としてプリンターの静的性能特性をもたらす。設計者がこれらの特性を再度変更したいと望む場合、設計者は印刷システムの部品を改造するか、印刷システムの設計全体を見直すことが必要となりうる。印刷システムの設計変更は、再設計、設備の再編成、再試験、および再検査を行うためのコストを生じうる。かくして、顧客の体験の変化は、こうした製品の設計変更に伴う遅延およびコストなしには達成されないであろう。本開示は、ユーザーのジョブ統計および関連するプリンターのヒューリスティクスに基づいて、プリンターの音響放出およびエネルギー消費を管理するための方法を提供する。本開示は、プリンターのハードウェアに対して何らかの変更を行う必要性を排除しうる。かくしてプリンターの機能は、ハードウェアに基づく最適化に伴う遅延およびコストなしに、オンザフライで最適化されうる。
【０００９】
印刷システムは、スキャナーを含む多目的プリンターであってよい。プリンターの動作中の音響放出は、給紙経路、消耗品（トナーカートリッジ、インクカートリッジ、用紙、等々）、ファンおよびモーターのノイズ音およびインパルス雑音を介して生成される。付加的に、プリンターの音響放出は、較正、清掃、ウォームアップ、スピンダウン、および各種機械要素の係合／離脱といった、種々の非印刷動作によって生成されうる。音響放出を最小限にすることは、プリンターの設計者にとって長きにわたる目標であった。
【００１０】
乾式電子写真（ＥＰ）プリンターのエネルギー消費は、プリンターが省電力モードに入るのに使用される時間間隔、省電力モードから出るために使用される時間間隔、および準備完了状態から印刷までに使用される時間間隔によって決定されてよい。プリンターのエネルギー消費はまた、ページ処理のスループット速度（単位時間内にプリンターを通って移動するページ数）、印刷中の適切な溶融熱伝達を達成するために使用されるエネルギー、および印刷システム内の種々の二次的な電気的および機械的なエネルギー消費部分によって決定されてよい。
【００１１】
プリンターは、印刷ジョブパラメータを使用して、音響放出およびエネルギー消費について最適化されてよい。印刷ジョブパラメータは、例えば、ユーザー、アプリケーション、ジョブのソース（源）、ジョブの長さ、ジョブの種類（印刷、コピー、またはスキャン）、印刷媒体の種類、カラー印刷またはモノクロ印刷、１日のうちの時間および印刷ジョブの場所（プルプリント、保存印刷、モバイル印刷、コピージョブ、またはパソコン（ＰＣ）印刷）といった、印刷ジョブを特徴付けるデータによって表されてよい。プリンタの音響放出およびエネルギー消費を管理するために、印刷ジョブの詳細な知識を使用してよい。プリンターの作業履歴並びにユーザー選好および動作はまた、プリンターの音響放出およびエネルギー消費の両者を動的に最適化するために使用してよい。音響およびエネルギーの最適化は、印刷エンジン、スキャナーまたは両者の組み合わせ、並びに出力デバイスに対して適用されてよい。
【００１２】
ユーザーのプリンターとの相互作用は、プリンターによるユーザーのジョブの実行に適用されるところの、１組のヒューリスティクス、１組の典型的な動作特性によって記述されてよい。ヒューリスティックデータはそのユーザーおよびプリンターについて集積されてよく、ユーザーのジョブを分析するべく後に使用され、そのプリンターによるユーザーの以前の印刷ジョブの実行に基づいてユーザーのプリンター設定が調節される。
【００１３】
以下のものは、ユーザーごとに追跡されてよい、印刷ヒューリスティクスの例である：ジョブの長さ（典型的に各々のジョブはどの位の長さか）、ジョブの頻度（ユーザーはジョブを１回印刷するか、複数回続けて繰り返すか）、印刷ジョブセッションの間の時間（ユーザーは何を印刷するか、セッションとセッションの間の長さはどの位か）、印刷媒体の種類、モノクロ印刷またはカラー印刷、１日のうちの時間（ユーザは通常、１日のうち何時に印刷するか？−例えば、会議の直前、昼食の直後、昼食の直前）、ジョブのソース（プルプリント、保存されたジョブ、モバイル印刷、コピージョブまたはＰＣ印刷、ユーザーの場所（ユーザーは通常プリンターのところに立つか）、ジョブの種類（印刷、コピー、またはスキャン）、最後のジョブから媒体が出力トレイから取り出されるまでの時間、出力トレイに残されているユーザージョブの推定数、プリンターの較正頻度および較正発生パターン、プリンターの清掃頻度および清掃発生パターン。ユーザーが通常印刷を行う１日のうちの時間は、印刷ジョブ中に含まれているユーザーの認証情報に基づいて承認された安全なアクセスを有するカレンダーアプリケーションとの、直接的な統合によって決定されてよい。上記したように、プリンターのヒューリスティクスは、音響放出およびエネルギー消費の最適化のために使用されてよい。例えばプリンターによって、ユーザーがデバイスのところにいることが検出される。この場合、ユーザーが待たないように、印刷は速く行われうる。１つの例では、ユーザーまたはマネージャーが「静粛モード」ボタンを押して印刷モードを設定した場合、プリンターは半分の速度（時間）で印刷して音響放出およびエネルギー消費を低減させてよい。静粛（低速）印刷または高速（騒々しい）印刷に関するユーザーの選好は、ヒューリスティック分析において使用されてよい。
【００１４】
１つの例では、ユーザーのジョブがコピーである場合、（静粛モードが選択されるか、または情報技術（ＩＴ）部門によって義務化されているか、またはユーザーがＩＴの設定した構成をオーバーライドする（覆す）許可を有するのでなければ）、ユーザーは装置のところにいるため、プリンターは高速で作動してよい。ユーザーのジョブが印刷である場合、プリンターはそこに誰もいなければ短時間のジョブについては低速で作動してよく、また長時間のジョブについては高速で、またはジョブの長さが増えるにしたがって相応する速度で作動してよい。ユーザーのジョブがスキャンである場合には、プリンターはスキャナーを回転させ、そしてプリンターのところでスキャンを行っているユーザーのユーザー個人設定を流入してくる他のジョブに適用してよい。例えば、印刷ジョブはスキャンを行っている最中に到着してよく、スキャンを行っているユーザーの選好が「静粛」である場合には、通常は完全作動（騒々しい）モードで印刷されるような場合であったとしても、このジョブは静粛モードで印刷される。
【００１５】
１つの例では、プリンターの構成設定のために、エネルギーコストプロファイルを使用してよい。エネルギーコストプロファイルは、昼間使用と夜間使用の間でのエネルギーコストの差である。プリンターは、雰囲気光、およびプリンターのところにユーザーが存在するかといった、作動条件を検出してよい。プリンターはこの情報を、例えば、光が少ない場合には動作の静粛モードを選択するように使用してよい。１つの例では、プリンターは、プリンターのところにユーザーが存在することを、動き検出センサーまたはユーザーの動きを辿ることのできるＢｌｕｅｔｏｏｔｈ低エネルギー（ＢＬＥ）デバイスを使用して検出してよい。プリンターは、ユーザーがジョブを迅速に印刷できるように高速印刷モードを選択してよい。しかしながら、最適な動作モードを決定するために、上記したプリンターの作動条件データを集積されたヒューリスティックデータと組み合わせて使用してよい。ユーザーのヒューリスティクスデータ、ユーザーの選好、印刷ジョブパラメータ、プリンターの作動条件、およびプリンターの作動ヒューリスティクスに基づいて、プリンターについてのユーザーの音響的体験を変化させ、プリンターのエネルギー消費を低減させ、その一方で心地よいユーザー体験を維持するために、プリンターの動作は最適化されてよい。音響およびエネルギーの最適化は、印刷エンジン、スキャナー、または両者の組み合わせ、並びに出力デバイスに対して適用されてよい。
【００１６】
ヒューリスティック分析のために使用されてよい、考えられるユーザーの動作の例は以下の如くである。ユーザーＡは典型的にはジョブをＰＣから印刷し、印刷ジョブが送信された場合に媒体の出力トレイは空であり、そしてユーザーＡは完了した印刷ジョブを回収するために常に２分間以上を要する。ユーザーＡについての現在のプリンター動作：給紙経路は全速で走行、エンジンが回転されるに際してすべてのファンは全速で回転開始、エンジンは可能な最速の１ページ目出力時間に向けて積極的に回転する。ユーザーＡについての最適化されたプリンター動作：流入ジョブの予測された長さに基づいて、レーザースキャナーの回転速度を低減させ、ＥＰプロセスおよび給紙経路の速度を１／２に設定。この低減された速度において、プリンターは低減された音響放出で印刷を行い、より少ない電力を消費する。ユーザーの体験は依然として予測に合致するが、それはこのユーザーが印刷された文書を急いで取りに行くことがなさそうだからである。加えて、プリンターは、１日のうちでユーザーが「急いでいる」ことがありそうな時間があるかどうかを辿ってよく、その時間の間は、最初から全速で印刷を行うように動的に調節を行ってよい。この場合にもやはり、満足のいくユーザー体験は維持される。データベースは、「プリンターからの距離」に関する情報を保持してよく、これはＩＰアドレス、パケット転送時間、およびワイヤレス信号の強度によって動的に決定されてよい。付加的に、「私の印刷が先行」といった概念および既存の追跡システム中に結びつけられたＩＤバッジもまた、プリンターの音響およびエネルギー消費についての、位置を知ることに基づく最適化をもたらしてよい。
【００１７】
１つの例では、ユーザーＢは典型的には短いジョブを省電力モードで印刷し、そして印刷ジョブが出力ビンに達するや否や回収を行う。ユーザーＢについての現在のプリンター動作：給紙経路は全速で走行、エンジンが回転されるに際してすべてのファンは全速で回転開始、エンジンは可能な最速の１ページ目出力時間に向けて積極的に回転する。ユーザーＢについての最適化されたプリンター動作：４ページ未満のジョブは全速のファンまたは利用可能なファンの全部の組により提供される冷却を必要としないから、ファンの全部または幾つかはオフのままでよく、または低減された速度で回転させて音響（ノイズ）放出を低下させる。ジョブが４〜１０ページの間である場合には、内部エンジンの温度に基づいて、全てのファンが回転されまたは速度が増大される。１０ページを超える長さのジョブ−１０ページ目でファンを回転させまたは速度を増大させて、印刷システムにおける熱制御を維持する。
【００１８】
１つの例では、印刷ジョブ利用データを使用して、９９％の確率で、ユーザーは自分のジョブを５分間以上引き取らないということが判定されてよい。この場合は、幾つかのジョブを集積して、ユーザーによる引き取りにちょうど間に合うように、５分間の制限よりも前にまとめて印刷してよい。この手法はエネルギーの利用およびプリンターの摩耗を最適化すると同時に、ユーザーの期待とも合致する。１つの例では、ＩＴ部門は業務用のすべての印刷装置を設定して、５ページ未満の長さのジョブについてはデフォルトで静粛モードで作動するようにしてよい。選ばれたユーザー（副社長またはＣＥＯのような）は、ＩＴ部門の設定をオーバーライドする許可を与えられていてよい。しかしながら、すべての他のユーザーは、選好が静粛モードに設定される。ユーザーがプリンターに認証されると、プリンターは最小限の音響となるように設定される。そのユーザーがサインインしている間にプリンターに到来するすべての印刷ジョブは、最小限の音響で印刷される。ユーザーがサインアウトしたならば、プリンターは通常のヒューリスティクスに復帰する。
【００１９】
１つの例では、以下のプリンター動作最適化を適用してよい。清掃サイクルまたは較正が正当化されるほど沢山使用されたプリンターについて、その動作は、ユーザーが装置付近にいなくなるまで、または１日のうちでエネルギーが低コストとなる時間帯となるまで遅延される。このことは、その動作をユーザーの知覚から取り除くことができると共に、その動作に伴う影響およびコストを縮減しうる。プリンター動作の最適化の他の例は、プリンターの利用動作データを、ユーザー、ユーザーの選好、ＩＴ部門の設定、ジョブの種類、エネルギーコスト情報、１日のうちの時間、その他の１つまたはより多くについて検討する、分析に依存していてよい。プリンターは、静粛（低エネルギー）モードの知覚を維持し、同時に期待される性能を果たすように、動的に調節されてよい。プリンターの利用パターンがローカルアーカイブまたはリモートデータベースに記憶されたならば、プリンターの動作は、各々のユーザー個々について、またはユーザーのグループについての、音響およびエネルギーを管理するように最適化されてよい。データベースはまたクラウドに記憶されていてよく、社内のすべてのプリンターについて知識を共有することが可能とされると共に、プリンターの動作を中央で制御することができる。
【００２０】
最初に図１を参照すると、ヒューリスティック分析に基づいて自身の設定を調節しうる、例示的なプリンター１００のブロック図が示されている。図１に示されているこのプリンター１００は追加的な部品を含んでいてよく、またここに図示された部品の幾つかは、本願に開示されたプリンター１００の範囲から逸脱することなしに、除去および／または変更してよいことが理解されるべきである。
【００２１】
１つの例では、プリンター１００はプロセッサ１０２を含んでいてよく、これはプリンター１００の動作を制御するものであってよい。プロセッサ１０２は、半導体ベースのマイクロプロセッサ、中央処理装置（ＣＰＵ）、特定用途向け集積回路（ＡＳＩＣ）、フィールドプログラマブルゲートアレイ（ＦＰＧＡ）、および／または他のハードウェアデバイスであってよい。
【００２２】
プリンター１００はまたメモリ１１０を含んでいてよく、これはその上に、プロセッサ１０２が実行してよい機械読み取り可能な命令１１２−１１８（コンピュータ可読命令とも呼ばれてよい）を記憶していてよい。メモリ１１０は、実行可能な命令を含有しまたは記憶している、電子的、磁気的、光学的、または他の物理的記憶装置であってよい。メモリ１１０は例えば、ランダムアクセスメモリ（ＲＡＭ）、電気的に消去可能なプログラマブルリードオンリーメモリ（ＥＥＰＲＯＭ）、記憶装置、光ディスク、およびその他であってよい。メモリ１１０はまた、コンピュータ可読記憶媒体と呼ばれてもよく、非一時的な機械読み取り可能な媒体であってよく、ここで用語「非一時的」は、一時的な伝搬信号を包含しない。
【００２３】
プロセッサ１０２は、命令１１２をフェッチし、デコードし、そして実行して、ユーザーの印刷ジョブを印刷する命令を受け取ってよい。プロセッサ１０２は、命令１１４をフェッチし、デコードし、そして実行して、ユーザーの印刷ジョブのパラメータを決定してよい。プロセッサ１０２は、命令１１６をフェッチし、デコードし、そして実行して、印刷ジョブのパラメータおよび以前に集積されたユーザーの印刷のヒューリスティック統計に基づいて、印刷ジョブのヒューリスティック分析を行ってよい。プロセッサ１０２は命令１１８をフェッチし、デコードし、そして実行して、ヒューリスティック分析に基づいてユーザーのプリンター設定を調節してよい。１つの例では、プリンター１００はクラウドベースのヒューリスティックデータベースに対するアクセスを有していてよく、ヒューリスティクス分析のためにデータを受け取る。プリンターのプロセッサ１０２はまた、メモリ１１０に記憶されたヒューリスティックアーカイブから、ヒューリスティック分析のためのデータを受け取ってよい。
【００２４】
図２に転ずると、そこには例示的なプリンター２００が示されており、これは調整された動作設定に基づいてユーザーの設定を調節してよい。プリンター２００は、ユーザーのジョブ２０２〜２０６をユーザージョブ分析エンジン２１０に受け取ってよい。ユーザージョブ分析エンジン２１０は、ユーザーの印刷のヒューリスティック統計を、ローカルなヒューリスティックアーカイブ２２０から取り出してよい。１つの例では、ユーザーのジョブ分析エンジン２１０は、ユーザーの印刷のヒューリスティック統計を、リモートな、またはクラウドベースのヒューリスティックデータベース２２２から取り出してよい。ユーザージョブ分析エンジン２１０は、取り出されたユーザーの印刷のヒューリスティック統計に基づいてユーザージョブを分析し、印刷ジョブパラメータを生成してよい。ユーザージョブ分析エンジン２１０はまた、将来における参照のために、ユーザージョブパラメータをヒューリスティックアーカイブ２２０またはヒューリスティクスデータベース２２２に記憶してよい。
【００２５】
かくしてプリンター２００は、ユーザーが印刷のためにジョブを送信するごとに、より多くのユーザーヒューリスティクスを集積してよく、それによって継続的に動作アナライザー２１２に「教示」を行ってよい。動作アナライザー２１２は、印刷ジョブパラメータをユーザージョブ分析エンジン２１０から受け取ってよい。次いで動作アナライザー２１２は、ヒューリスティックアーカイブ２２０またはヒューリスティクスデータベース２２２からのユーザーのヒューリスティックデータを使用して、調整された動作設定２１４を生成してよい。１つの例では、動作アナライザー２１２はプリンター設定２１６およびユーザーのプリンター設定２１８を使用して、調整された動作設定２１４を生成してよい。動作アナライザー２１２が、調整された動作設定２１４がユーザー設定２１８とは異なっていると判定した場合には、動作アナライザー２１２はユーザー設定２１８を調整された動作設定２１４に従って調節してよく、またはユーザー設定２１８を調整された動作設定２１４で代替してよい。動作アナライザー２１２は、将来における使用のために、調整された動作設定２１４をヒューリスティクスデータベース２２２に記憶させてよい。本開示の例によれば、調整された動作設定２１４は、プリンターの音響放出およびエネルギー消費を制御してよい。
【００２６】
図３に転ずると、そこにはプリンターの音響放出およびエネルギー消費を最適化するための、例示的な方法３００の流れ図が示されている。この方法３００は、図１および図２に示されたプリンターによって実施されてよい。ブロック３０２において、プロセッサ１０２は、ユーザーの印刷ジョブの印刷命令を受け取る命令を実行してよい。ブロック３０４において、プロセッサ１０２はユーザーの印刷ジョブのパラメータを決定する命令を実行してよい。ブロック３０６において、プロセッサ１０２は、以前に集積され記憶されたユーザーの印刷のヒューリスティック統計を受け取る命令を実行してよい。ブロック３０８において、プロセッサ１０２は、印刷ジョブのパラメータおよび以前に集積されたユーザーの印刷のヒューリスティック統計に基づいて、ユーザーの印刷ジョブのヒューリスティック分析を実行する命令を実行してよい。ブロック３１０において、プロセッサ１０２は、ヒューリスティック分析に応じて、ユーザーのプリンター設定を調節する命令を実行してよい。ブロック３１２において、プロセッサ１０２は、調節されたプリンター設定を使用して、ユーザーの印刷ジョブの印刷を開始する命令を実行してよい。
【００２７】
図４においては、調整された動作設定に基づいてユーザーのプリンター設定を調節するための、例示的な方法４００の流れ図が示されている。ブロック４０２において、プロセッサ１０２は、ヒューリスティック分析およびプリンターの作動条件に基づいて、調整された動作設定を生成するための命令を実行してよい。ブロック４０４において、プロセッサ１０２は、ユーザーのプリンター設定が調整された動作設定と異なる場合に、ユーザーのプリンター設定を調節する命令を実行してよい。ブロック４０６において、プロセッサ１０２は、エネルギーコストに基づいてユーザーのプリンター設定を調節する命令を実行してよい。
【００２８】
本開示の全体を通じて具体的な説明が行われているが、本開示の代表的な例は多種多様な用途にわたって有用性を有するものであり、また上述した説明は限定的なものであることを意図しておらず、また限定的に解釈されるべきものでもなく、開示の側面についての例示的な記載として提示されているものである。
【００２９】
本願で説明され例示されたところのものは、幾つかの変形例を伴う、例示的な開示である。本願において使用した用語、説明、および図面は、例示の目的で示されたものであって限定を意図したものではない。開示された思想および範囲内において、多くの変形例が可能であり、それらは以下の特許請求の範囲およびその均等物によって規定されることが意図されており、そこにおいては特記しない限り、すべての用語は合理的な最大限の意味であることが意図されている。
【図１】
0006914416.tif 000002
【図２】
0006914416.tif 000003
【図３】
0006914416.tif 000004
【図４】
0006914416.tif 000005